(57)【要約】      （修正有）【課題】遊技機の入替作業に際しての作業効率を高めることができる取付構造を提供する。【解決手段】間柱本体１０の取付突起２０を保持部４０の通過孔４１に通し、この取付突起２０の下面を通過孔４１の内周面に接触するまで変位させるだけで、この通過孔４１の下方に拡がる保持部４０の表裏を間柱本体１０と取付突起２０の拡張部とで挟んだ状態とし、こうして間柱１が不用意に外れてしまうことがないように固定できる。その一方、取付突起２０の下面が通過孔４１との内周面から離れるように変位させるだけで、取付突起２０が保持部４０の通過孔４１から取り外せるようになるため、間柱１の固定および取外しを容易に行うことができる。【選択図】図４
0003201401.tif 000002
【実用新案登録請求の範囲】
【請求項１】
それぞれ隣接する遊技機の間に設置される間柱の取付構造であって、
前記間柱は、
それぞれ隣接する遊技機の間に形成された設置空間に沿って延びる板状の間柱本体と、
前記間柱本体における上端側の裏面から突出する突起であって、該突起の先端側が少なくとも下方に向けて拡がる拡張部となっている取付突起と、からなり、
前記設置空間には、
前記取付突起に対応する上端側の領域に配置された板状の部材であって、前記取付突起が表裏方向に通過可能な通過孔が形成され、該通過孔に前記取付突起を通過させることで該取付突起を保持する保持部と、
前記間柱本体の下端側に裏面側から接触する領域に配置され、該間柱本体の下端側を位置決めする位置決め部と、が設けられており、
前記保持部は、前記通過孔に、前記取付突起を少なくとも前記拡張部より根元側の部分が前記通過孔内に位置するまで通した状態で、該取付突起の下面を前記通過孔の内周面に接触させることにより、該通過孔の下方に拡がる領域の表裏を前記間柱本体の裏面と前記取付突起における前記拡張部とで挟んで保持する
ことを特徴とする間柱の取付構造。
【請求項２】
前記取付突起は、前記拡張部における外径が該拡張部より根元側の外径に比べて大きくなるように構成されており、
前記保持部は、前記取付突起における前記拡張部が通過可能な外径の第１通過孔と、該第１通過孔の下方から拡がり少なくとも前記拡張部が通過不可能な外径の第２通過孔と、が形成されており、前記第１通過孔に、前記取付突起を少なくとも前記拡張部より根元側の部分が前記第１通過孔内に位置するまで通した後、該根元側の部分を前記第２通過孔内に位置するまで変位させて前記第２通過孔の内周面に接触させることにより、該第２通過孔の下方に拡がる領域の表裏を前記間柱本体の裏面と前記取付突起における前記拡張部とで挟んで保持する
ことを特徴とする請求項１に記載の間柱の取付構造。
【請求項３】
前記間柱は、前記間柱本体における下端側の裏面から突出する突起であって、該突起の先端側が少なくとも下方に向けて拡がる拡張部となっている位置決め突起を備えており、
前記位置決め部は、前記取付突起に対応する下端側の領域に配置された板状の部材であって、前記位置決め突起が表裏方向に通過可能な通過孔が形成され、該通過孔に、前記位置決め突起を少なくとも前記拡張部より根元側の部分が前記通過孔内に位置するまで通した状態で、該位置決め突起の下面を前記通過孔の内周面に接触させることにより、該通過孔の下方に拡がる領域の表裏を前記間柱本体の裏面と前記位置決め突起における前記拡張部とで挟むことで位置決めする
ことを特徴とする請求項１または請求項２に記載の間柱の取付構造。
【請求項４】
前記位置決め突起は、前記拡張部における外径が該拡張部より根元側の外径に比べて大きくなるように構成されており、
前記位置決め部は、前記位置決め突起における前記拡張部が通過可能な外径の第１通過孔と、該第１通過孔の下方から拡がり少なくとも前記拡張部が通過不可能な外径の第２通過孔と、が形成されており、前記第１通過孔に、前記位置決め突起を少なくとも前記拡張部より根元側の部分が前記第１通過孔内に位置するまで通した後、該根元側の部分を前記第２通過孔内に位置するまで変位させて前記第２通過孔の内周面に接触させることにより、該第２通過孔の下方に拡がる領域の表裏を前記間柱本体の裏面と前記位置決め突起における前記拡張部とで挟んで保持する
ことを特徴とする請求項３に記載の間柱の取付構造。
【請求項５】
請求項１から４のいずれかに記載の間柱。
【考案の詳細な説明】
【技術分野】
【０００１】
本考案は、それぞれ隣接する遊技機の間に設置される間柱の取付構造に関する。
【背景技術】
【０００２】
従来から、隣接する遊技機の間には間柱が配置されている（特許文献１，２参照）。
【先行技術文献】
【特許文献】
【０００３】
【特許文献１】特許４７５８８３４号公報
【特許文献２】特開２０１２−０１１１４０号公報
【考案の概要】
【考案が解決しようとする課題】
【０００４】
ただ、遊技機の入れ替えに際しては間柱も取り外す必要があるところ、従来の間柱は、遊技機の間に形成された設置空間にネジ止めされることが一般的であるため、遊技機の入れ替えに際し、ネジの取外しおよびネジ止めという手間のかかる作業が発生してしまい、遊技機の入替作業に際しての作業効率が低いという課題があった。
【０００５】
本考案は、このような課題を解決するためになされたものであり、その目的は、従来よりも遊技機の入替作業に際しての作業効率を高めることができる取付構造を提供することである。
【課題を解決するための手段】
【０００６】
上記課題を解決するため第１の構成（請求項１）は、それぞれ隣接する遊技機の間に設置される間柱の取付構造であって、以下のような特徴を有する。
まず、前記間柱は、それぞれ隣接する遊技機の間に形成された設置空間に沿って延びる板状の間柱本体と、前記間柱本体における上端側の裏面から突出する突起であって、該突起の先端側が少なくとも下方に向けて拡がる拡張部となっている取付突起と、からなる。
【０００７】
また、前記設置空間には、前記取付突起に対応する上端側の領域に配置された板状の部材であって、前記取付突起が表裏方向に通過可能な通過孔が形成され、該通過孔に前記取付突起を通過させることで該取付突起を保持する保持部と、前記間柱本体の下端側に裏面側から接触する領域に配置され、該間柱の下端側を位置決めする位置決め部と、が設けられている。
【０００８】
また、前記保持部は、前記通過孔に、前記取付突起を少なくとも前記拡張部より根元側の部分が前記通過孔内に位置するまで通した状態で、該取付突起の下面側を前記通過孔の内周面に接触させることにより、該通過孔の下方に拡がる領域の表裏を前記間柱本体の裏面と前記取付突起における前記拡張部とで挟んで保持する。
【０００９】
この構成によれば、間柱本体の取付突起を保持部の通過孔に通し、この取付突起の下面を通過孔の内周面に接触するまで変位させるだけで、この通過孔の下方に拡がる保持部の表裏を間柱本体と取付突起の拡張部とで挟んだ状態とでき、こうして間柱が不用意に外れてしまうことがないように固定できる。その一方、取付突起の下面が通過孔との内周面から離れるように変位させるだけで、取付突起が保持部の通過孔から取り外せるようになるため、間柱の固定および取外しを容易に行うことができる。
【００１０】
こうして、上記構成であれば、遊技機の入れ替えに際し、ネジの取外しおよびネジ止めという手間のかかる作業が発生することもなくなるため、遊技機の入替作業に際しての作業効率を高めることができる。
【００１１】
また、この構成であれば、間柱本体の表側からネジを通す必要がないため、ネジが表側に露出することもなくなり、デザインの自由度が高まるとともに美感を向上させることができる。
【００１２】
また、この構成における間柱本体の取付突起および保持部の通過孔は、間柱が不用意に外れてしまうことがないように固定できる構成であればよく、その具体的な構成については特に限定されない。
【００１３】
例えば、以下に示す第２の構成（請求項２）のようにすることが考えられる。
第２の構成では、前記取付突起は、前記拡張部における外径が該拡張部より根元側の外径に比べて大きくなるように構成されている。
【００１４】
そして、前記保持部は、前記取付突起における前記拡張部が通過可能な外径の第１通過孔と、該第１通過孔の下方に拡がり少なくとも前記拡張部が通過できない外径の第２通過孔と、が形成されており、前記第１通過孔に、前記取付突起を少なくとも前記拡張部より根元側の部分が前記通過孔内に位置するまで通した後、該根元側の部分を前記第２通過孔内に位置するまで変位させて前記第２通過孔の内周面に接触させることにより、該第２通過孔の下方に拡がる領域の表裏を前記間柱本体の裏面と前記取付突起における前記拡張部とで挟んで保持する。
【００１５】
また、間柱本体における下端側の位置決めについては、上述した上端側と同様、突起と孔により実現する構成としてもよい。
このためには、上述した構成を以下に示す第３の構成（請求項３）のようにすること考えられる。
【００１６】
第３の構成において、前記間柱は、前記間柱本体における下端側の裏面から突出する突起であって、該突起の先端側が少なくとも下方に向けて拡がる拡張部となっている位置決め突起を備えている。
【００１７】
そして、前記位置決め部は、前記取付突起に対応する下端側の領域に配置された板状の部材であって、前記位置決め突起が表裏方向に通過可能な通過孔が形成され、該通過孔に、前記位置決め突起を少なくとも前記拡張部より根元側の部分が前記通過孔内に位置するまで通した状態で、該位置決め突起の下面を前記通過孔の内周面に接触させることにより、該通過孔の下方に拡がる領域の表裏を前記間柱本体の裏面と前記位置決め突起における前記拡張部とで挟んで位置決めする。
【００１８】
この構成であれば、間柱本体の位置決め突起を位置決め部の通過孔に通し、この位置決め突起の下面を通過孔の内周面に接触するまで変位させるだけで、この通過孔の下方に拡がる位置決め部の表裏を間柱本体と位置決め突起の拡張部とで挟んだ状態とでき、こうして間柱が不用意に外れてしまうことがないように固定することができる。その一方、位置決め突起の下面が通過孔との内周面から離れるように変位させるだけで、位置決め突起が位置決め部の通過孔から取り外せるようになるため、間柱の固定および取外しを容易に行うことができる。
【００１９】
また、この構成における間柱本体の位置決め突起および位置決め部の通過孔は、間柱が不用意に外れてしまうことがないように固定できる構成であればよく、その具体的な構成については特に限定されない。
【００２０】
例えば、以下に示す第４の構成（請求項４）のようにすることが考えられる。
第４の構成において、前記位置決め突起は、前記拡張部における外径が該拡張部より根元側の外径に比べて大きくなるように構成されている。
【００２１】
そして、前記位置決め部は、前記位置決め突起における前記拡張部が通過可能な外径の第１通過孔と、該第１通過孔の下方に拡がり少なくとも前記拡張部が通過できない外径の第２通過孔と、が形成されており、前記第１通過孔に、前記位置決め突起を少なくとも前記拡張部より根元側の部分が前記通過孔内に位置するまで通した後、該根元側の部分を前記第２通過孔内に位置するまで変位させて前記第２通過孔の内周面に接触させることにより、該第２通過孔の下方に拡がる領域の表裏を前記間柱本体の裏面と前記位置決め突起における前記拡張部とで挟んで保持する。
【００２２】
また、上記課題を解決するための構成としては、上述した第１〜第４のいずれかに係る間柱とすることも考えられ、この構成であれば、上述した取付構造を実現することができる。
【図面の簡単な説明】
【００２３】
【図１】本考案における間柱の取付構造を示す斜視図
【図２】取付突起および位置決め突起の構成を示す上面図および正面図
【図３】遊技機の間に形成された設置空間の周辺を示す斜視図
【図４】本考案において間柱が取付けられる様子を示す斜視図
【図５】別の構成における間柱の取付構造を示す斜視図
【考案を実施するための形態】
【００２４】
以下に本考案の実施形態を図面と共に説明する。
（１）全体構成
それぞれ隣接する遊技機の間に設置される間柱１の取付構造は、以下に示した間柱と設置空間２に設けられた構成要素とからなる。
【００２５】
まず、間柱１は、図１に示すように、それぞれ隣接する遊技機の間に形成された設置空間２に沿って延びる板状の間柱本体１０と、間柱本体１０における上端側の裏面から突出する取付突起２０と、間柱本体１０における下端側の裏面から突出する位置決め突起３０と、からなる。この取付突起２０、位置決め突起３０は、図２に示すように、突起としての先端側が拡がった拡張部２１、３１となっている。
【００２６】
また、設置空間２には、図３に示すように、取付突起２０に対応する上端側の領域に配置された板状の部材であって取付突起２０を保持する保持部４０と、間柱本体１０の下端側に裏面側から接触する領域に配置され、間柱本体１０の下端側を位置決めする位置決め部５０と、が設けられている。
【００２７】
保持部４０は、取付突起２０が表裏方向に通過可能な通過孔４１が形成され、通過孔４１に取付突起２０を通過させることでこの取付突起２０を保持するように構成されている。具体的にいえば、保持部４０は、通過孔４１に、取付突起２０を少なくとも拡張部２１より根元側の部分が通過孔４１内に位置するまで通した状態で、取付突起２０の下面を通過孔４１の内周面に接触させることにより、通過孔４１の下方に拡がる領域の表裏を間柱本体１０の裏面と取付突起２０における拡張部２１とで挟んで保持する。
【００２８】
本実施形態において、取付突起２０は、拡張部２１における外径が拡張部２１より根元側の外径に比べて大きいピンとして構成され（図２参照）、また、保持部４０は、図３に示すように、取付突起２０における拡張部２１が通過可能な外径の第１通過孔４３と、第１通過孔４３の下方に拡がり少なくとも拡張部２１が通過できない外径の第２通過孔４５と、が形成されている。そして、この構成では、第１通過孔４３に、取付突起２０を少なくとも拡張部２１より根元側の部分が第１通過孔４３内に位置するまで通した後、この根元側の部分を第２通過孔４５内に位置するまで変位させて第２通過孔４５の内周面に接触させることにより、第２通過孔４５の下方に拡がる領域の表裏を間柱本体１０の裏面と取付突起２０における拡張部２１とで挟んで保持する。
【００２９】
位置決め部５０は、位置決め突起３０が表裏方向に通過可能な通過孔５１が形成され、この通過孔５１に、位置決め突起３０を少なくとも拡張部３１より根元側の部分が通過孔５１内に位置するまで通した状態で、位置決め突起３０の下面を通過孔５１の内周面に接触させることにより、通過孔５１の下方に拡がる領域の表裏を間柱本体１０の裏面と位置決め突起３０における拡張部３１とで挟んで位置決めする。
【００３０】
本実施形態において、位置決め突起３０は、拡張部３１における外径が拡張部３１より根元側の外径に比べて大きいピンとして構成され（図２参照）、また、位置決め部５０は、位置決め突起３０における拡張部３１が通過可能な外径の第１通過孔５３と、第１通過孔５３の下方に拡がり少なくとも拡張部３１が通過できない外径の第２通過孔５５と、が形成されている。そして、この構成では、第１通過孔５３に、位置決め突起３０を少なくとも拡張部３１より根元側の部分が第１通過孔５３内に位置するまで通した後、この根元側の部分を第２通過孔５５内に位置するまで変位させて第２通過孔５５の内周面に接触させることにより、第２通過孔５５の下方に拡がる領域の表裏を間柱本体１０の裏面と位置決め突起３０における拡張部３１とで挟んで保持する。
【００３１】
なお、本実施形態では、それぞれ隣接する遊技機間を区切ってタバコ等の煙の流入を抑制するための分煙ボード１００が、間柱本体１０の表側に取付けられた構成を例示している。
（２）作用，効果
この構成によれば、間柱本体１０の取付突起２０を保持部４０の通過孔４１に通し、この取付突起２０の下面を通過孔４１の内周面に接触するまで変位させるだけで（図４における矢印Ａ参照）、この通過孔４１の下方に拡がる保持部４０の表裏を間柱本体１０と取付突起２０の拡張部２１とで挟んだ状態とでき、こうして間柱１が不用意に外れてしまうことがないように固定できる。その一方、取付突起２０の下面が通過孔４１との内周面から離れるように変位させるだけで、取付突起２０が保持部４０の通過孔４１から取り外せるようになるため、間柱１の固定および取外しを容易に行うことができる。
【００３２】
こうして、上記構成であれば、遊技機の入れ替えに際し、ネジの取外しおよびネジ止めという手間のかかる作業が発生することもなくなるため、遊技機の入替作業に際しての作業効率を高めることができる。
【００３３】
また、上記構成では、間柱本体１０の位置決め突起３０を位置決め部５０の通過孔５１に通し、この位置決め突起３０の下面を通過孔５１の内周面に接触するまで変位させるだけで（図４における矢印Ｂ参照）、この通過孔５１の下方に拡がる位置決め部５０の表裏を間柱本体１０と位置決め突起３０の拡張部３１とで挟んだ状態とでき、こうして間柱１が不用意に外れてしまうことがないように固定することができる。その一方、位置決め突起３０の下面が通過孔５１との内周面から離れるように変位させるだけで、位置決め突起３０が位置決め部５０の通過孔５１から取り外せるようになるため、間柱１の固定および取外しを容易に行うことができる。
【００３４】
また、この構成であれば、間柱本体１０の表側からネジを通す必要がないため、ネジが表側に露出することもなくなり、デザインの自由度が高まるとともに美感を向上させることができる。
（３）変形例
以上、本考案の実施の形態について説明したが、本考案は、上記実施形態に何ら限定されることはなく、本考案の技術的範囲に属する限り種々の形態をとり得ることはいうまでもない。
【００３５】
例えば、上記構成における間柱本体１０の取付突起２０および保持部４０の通過孔は、間柱１が不用意に外れてしまうことがないように固定できる構成であればよく、その具体的な構成については特に限定されない。
【００３６】
また、間柱本体１０における下端側の位置決めについては、上記構成のように、突起と孔により実現する以外に、図５に示すように、間柱本体１０の下端側に裏面側から接触する領域に配置され、間柱本体１０の下端側を位置決めする板状の位置決め部５０により実現する構成してもよい。
【００３７】
また、上記構成における間柱本体１０の位置決め突起３０および位置決め部５０の通過孔５１は、間柱１が不用意に外れてしまうことがないように固定できる構成であればよく、その具体的な構成については特に限定されない。
【００３８】
また、上記実施形態において、取付突起２０および位置決め突起３０は、突起としての先端側が拡張部２１、３１として拡がっている構成を例示した。しかし、この拡張部２１、３１は、少なくとも突起としての先端側が下方に向けて拡がっていれば、上下左右方向全体にまで拡がっていなくてもよい。
【符号の説明】
【００３９】
１…間柱、２…設置空間、１０…間柱本体、２０…取付突起、２１…拡張部、３０…位置決め突起、３１…拡張部、
４０…保持部、４１…通過孔、４３…第１通過孔、４５…第２通過孔、５０…位置決め部、５１…通過孔、５３…第１通過孔、５５…第２通過孔、１００…分煙ボード。
【図１】
0003201401.tif 000003
【図２】
0003201401.tif 000004
【図３】
0003201401.tif 000005
【図４】
0003201401.tif 000006
【図５】
0003201401.tif 000007
【手続補正書】
【提出日】平成27年10月1日(2015.10.1)
【手続補正１】
【補正対象書類名】実用新案登録請求の範囲
【補正対象項目名】請求項５
【補正方法】変更
【補正の内容】
【請求項５】
請求項１から４のいずれかに記載の取付構造で取り付けられる間柱。
【手続補正２】
【補正対象書類名】明細書
【補正対象項目名】００２２
【補正方法】変更
【補正の内容】
【００２２】
また、上記課題を解決するための構成としては、上述した第１〜第４のいずれかに係る取付構造で取り付けられる間柱とすることも考えられ、この構成であれば、上述した取付構造を実現することができる。